(57)【要約】【課題】盛り上がり場面をその盛り上がりの開始部分から録画する。【解決手段】録画開始の契機として、テレビ放送に出現する一定値を超える音量と、テレビ放送に出現する予め定められたキーワードを設定する。チューナ１によって選局されているテレビ放送を、蓄積録画時間Ｔ１を超える古い録画データを消去しながら、メモリＭ１に連続して蓄積録画する。チューナ１によって選局されているテレビ放送を監視し、そのテレビ放送に録画開始の契機を含む場面が現れると、その録画開始の契機を含む場面まで遡って所定時間Ｔ２の間、メモリＭ１から蓄積録画中の録画データを追いかけて読み出し、この読み出した録画データを盛り上がり場面としてメモリＭ２に保存する。【選択図】  図１
2010050692.tif 000002
【特許請求の範囲】
【請求項１】
選局されているテレビ放送を所定の蓄積録画時間を超える古い録画データを消去しながら連続して蓄積録画する蓄積録画手段と、
前記選局されているテレビ放送を監視し、そのテレビ放送に予め設定されている録画開始の契機を含む場面が現れた場合、その録画開始の契機を含む場面まで遡って所定時間の間、前記蓄積録画中の録画データを追いかけて読み出し、この読み出した録画データを盛り上がり場面として保存する盛上場面保存手段と
を備えることを特徴とする録画装置。
【請求項２】
請求項１に記載された録画装置において、
前記録画開始の契機は、前記テレビ放送に出現する一定値を超える音量である
ことを特徴とする録画装置。
【請求項３】
請求項１に記載された録画装置において、
前記録画開始の契機は、前記テレビ放送に出現する予め定められたキーワードである
ことを特徴とする録画装置。
【請求項４】
請求項１に記載された録画装置において、
前記録画開始の契機は、前記テレビ放送に出現する一定値を超える音量および予め定められたキーワードである
ことを特徴とする録画装置。
【請求項５】
請求項１に記載された録画装置において、
前記録画開始の契機の設定入力部として盛り上がり録画設定画面を表示する手段
を備えることを特徴とする録画装置。
【請求項６】
請求項５に記載された録画装置において、
前記盛り上がり録画設定画面は、
前記録画開始の契機の種別として音量およびキーワードの選択設定部と、
前記録画開始の契機の種別としてキーワードを選択した場合のフリーワードの入力部と、
前記録画開始の契機の種別としてキーワードを選択した場合のおすすめキーワードが予め定められている番組の種別の選択部と
を備えることを特徴とする録画装置。
【請求項７】
請求項１〜６の何れか１項に記載された録画装置において、
前記盛り上がり場面の保存が開始された場合、その盛り上がり場面に対応する録画アイコンを表示する録画アイコン表示手段と、
前記録画アイコンが選択指定された場合、その録画アイコンに対応して保存されている盛り上がり場面を再生する盛上場面再生手段と
を備えることを特徴とする録画装置。
【請求項８】
請求項７に記載された録画装置において、
前記盛上場面再生手段は、前記盛り上がり場面を早送りで再生する
ことを特徴とする録画装置。
【発明の詳細な説明】
【技術分野】
【０００１】
この発明は、選局されているテレビ放送の盛り上がり場面を自動的に録画する録画装置に関するものである。
【背景技術】
【０００２】
本発明に関連する録画装置として、例えば、特許文献１に示されたダイジェスト記録装置がある。このダイジェスト記録装置では、選局されているテレビ放送を監視し、そのテレビ放送における音声信号のレベルが大きい場合、その部分のテレビ放送を抽出して記録するようにしている。
【０００３】
例えば、スポーツ中継で相撲の場合、しきり中は静かであるが、立ち会い後は場内の歓声が大きくなり、勝負がつく直前ほど音声レベルが大きくなる。この場合、特許文献１に示されたダイジェスト記録装置では、音声信号のレベルが大きくなったシーンが盛り上がり場面として、自動的に録画されるものとなる。
【０００４】
【特許文献１】特開平９−２８４７０４号公報
【発明の開示】
【発明が解決しようとする課題】
【０００５】
しかしながら、この特許文献１に示されたダイジェスト記録装置では、テレビ放送における音声信号のレベルが大きくなった場合を録画開始の契機とし、この録画開始の契機を検出してから盛り上がり場面の録画を開始するようにしているので、録画開始の契機を含む場面が録画されていないということがあった。すなわち、録画開始の契機を検出してから実際に録画が開始されるまでには時間的なずれがある。この時間的なずれより、録画開始の契機を含む場面が録画されず、盛り上がり場面をその盛り上がりの開始部分から録画することができなかった。
【０００６】
本発明は、このような課題を解決するためになされたもので、その目的とするところは、盛り上がり場面をその盛り上がりの開始部分から録画することができる録画装置を提供することにある。
【課題を解決するための手段】
【０００７】
このような目的を達成するために本発明は、選局されているテレビ放送を所定の蓄積録画時間を超える古い録画データを消去しながら連続して蓄積録画する蓄積録画手段と、選局されているテレビ放送を監視し、そのテレビ放送に予め設定されている録画開始の契機を含む場面が現れた場合、その録画開始の契機を含む場面まで遡って所定時間の間、蓄積録画中の録画データを追いかけて読み出し、この読み出した録画データを盛り上がり場面として保存する盛上場面保存手段とを設けたものである。
【０００８】
この発明によれば、例えば、所定の蓄積録画時間を１０分とした場合、１０分を超える古い録画データが消去されながら、選局されているテレビ放送が連続して蓄積録画されて行く。この蓄積録画中、選局されているテレビ放送に録画開始の契機を含む場面が現れると、その録画開始の契機を含む場面まで遡って所定時間の間（例えば、５分間）、蓄積録画中の録画データが追いかけて読み出され、この読み出された録画データが盛り上がり場面として保存される。この場合、保存される盛り上がり場面には、録画開始の契機を含む場面（盛り上がりの開始部分）が含まれるものとなる。
【０００９】
本発明において、録画開始の契機としては、テレビ放送に出現する一定値を超える音量やテレビ放送に出現する予め定められたキーワードなどが考えられる。この場合、音量とキーワードの何れか一方を録画開始の契機としてもよいし、音量とキーワードの両方を録画開始の契機としてもよい。
【００１０】
また、録画開始の契機の設定入力部として盛り上がり録画設定画面を表示するようにし、この盛り上がり録画設定画面に、録画開始の種別として音量およびキーワードの選択設定部、キーワードを録画開始の契機として選択した場合のフリーワードの入力部、キーワードを録画開始の契機として選択した場合のおすすめキーワードが予め定められている番組の種別の選択部などを設けるようにしてもよい。
【００１１】
また、本発明において、盛り上がり場面の保存が開始された場合、その保存が開始された盛り上がり場面に対応して録画アイコンを表示するようにし、この録画アイコンが選択指定されると、その録画アイコンに対応して保存されている盛り上がり場面を再生するようにしてもよい。
【発明の効果】
【００１２】
本発明によれば、選局されているテレビ放送を所定の蓄積録画時間を超える古い録画データを消去しながら連続して蓄積録画するとともに、選局されているテレビ放送を監視し、そのテレビ放送に予め設定されている録画開始の契機を含む場面が現れた場合、その録画開始の契機を含む場面まで遡って所定時間の間、蓄積録画中の録画データを追いかけて読み出し、この読み出した録画データを盛り上がり場面として保存するようにしたので、保存される盛り上がり場面に録画開始の契機を含む場面が含まれるものとなり、盛り上がり場面をその盛り上がりの開始部分から録画することができるようになる。
【発明を実施するための最良の形態】
【００１３】
以下、本発明を図面に基づいて詳細に説明する。
〔実施例１〕
図１はこの発明に係る録画装置の一実施例（実施例１）の要部を示す図である。この録画装置１００は、テレビ放送を選局するチューナ１と、チューナ１によって選局されているテレビ放送を所定の蓄積録画時間Ｔ１を超える古い録画データを消去しながらメモリＭ１に連続して蓄積録画する蓄積録画処理部２と、チューナ１によって選局されているテレビ放送を監視し、そのテレビ放送に予め設定されている録画開始の契機を含む場面が現れた場合、その録画開始の契機を含む場面まで遡って所定時間Ｔ２の間、メモリＭ１から蓄積録画中の録画データを追いかけて読み出し、この読み出した録画データを盛り上がり場面としてメモリＭ２に保存する盛上場面保存処理部３とを備えている。
【００１４】
なお、この実施例１では、録画開始の契機として、テレビ放送に出現する一定値を超える音量と、テレビ放送に出現する予め定められたキーワードが設定されているものとする。この録画開始の契機はユーザからの指示に従って設定される。
【００１５】
また、この実施例１において、メモリＭ１にテレビ放送を蓄積録画する際の蓄積録画時間Ｔ１は１０分、メモリＭ１から蓄積録画中の録画データを追いかけて読み出す際の所定時間Ｔ２は５分とされているものとする。
【００１６】
この録画装置１００において、蓄積録画処理部２は、チューナ１によって選局されているテレビ放送を、蓄積録画時間Ｔ１を超える古い録画データを消去しながら、メモリＭ１に連続して蓄積録画して行く。
【００１７】
この例では、Ｔ１＝１０分とされているので、１０分を超える古い録画データが消去されながら、チューナ１によって選局されている放送がメモリＭ１に連続して蓄積録画されて行く。これにより、メモリＭ１には、チューナ１によって選局されている放送中、最新の１０分間の放送が一時的に保存されるものとなる。
【００１８】
一方、盛上場面保存処理部３は、チューナ１によって選局されているテレビ放送を監視し、そのテレビ放送に上述した録画開始の契機を含む場面が現れると、その録画開始の契機を含む場面まで遡って所定時間Ｔ２の間、メモリＭ１から蓄積録画中の録画データを追いかけて読み出し、この読み出した録画データを盛り上がり場面としてメモリＭ２に保存する。
【００１９】
この例では、Ｔ２＝５分とされているので、録画開始の契機を含む場面まで遡って５分間、メモリＭ１から蓄積録画中の録画データが追いかけて読み出され、この読み出された録画データが盛り上がり場面としてメモリＭ２に保存される。この場合、メモリＭ２に保存される盛り上がり場面には、録画開始の契機を含む場面が含まれるものとなる。これにより、盛り上がり場面がその盛り上がりの開始部分から録画されるものとなり、盛り上がり開始部分を見逃すことがなくなる。
【００２０】
なお、この実施例１では、メモリＭ１，Ｍ２を独立したメモリとしているが、１つのメモリとし、そのメモリのメモリ領域をメモリＭ１，Ｍ２として使用するようにしてもよい。
【００２１】
〔実施例２〕
図２はこの発明に係る録画装置を搭載した携帯電話端末の一実施例（実施例２）の概略を示す図である。この携帯電話端末２００は、アンテナ１１と、無線部１２と、制御部１３と、表示部１４と、キー入力部１５と、メモリ１６と、テレビチューナ１７と、スピーカ１８とを備えており、通常の無線電話機能に加え、テレビ放送の受信機能（テレビ機能）を有している。
【００２２】
制御部１３は、テレビチューナ１７によってテレビ放送が選局されると、その選局されたテレビ放送をアンテナ１１より無線部１２を介して取り込み、そのテレビ放送の映像信号を表示部１４へ送り、音声信号をスピーカ１８へ送る。
【００２３】
メモリ１６には、本実施例特有のプログラムとして、盛り上がり場面の自動録画プログラムなどが格納されている。制御部１３はこの盛り上がり場面の自動録画プログラムなどに従って後述する各種の処理動作を行う。
【００２４】
また、メモリ１６には、ユーザからの指示に従う録画開始の契機が設定される。また、メモリ１６には、蓄積録画時間Ｔ１を１０分として、テレビチューナ１７によって選局されているテレビ放送が古い録画データを消去しながら連続して蓄積録画される。また、メモリ１６には、所定時間Ｔ２を５分として、ユーザからの指示に従う録画開始の契機を含む盛り上がり場面が保存される。
【００２５】
〔盛り上がり録画設定〕
表示部１４には録画開始の契機の設定入力部として盛り上がり録画設定画面が表示される。図３に表示部１４に表示される盛り上がり録画設定画面の一例を示す。この盛り上がり録画設定画面２１には、録画開始の契機の種別の設定部２２と、フリーワードの設定部２３と、おすすめキーワードの設定部２４と、決定ボタン２５が表示される。
【００２６】
録画開始の契機の種別の設定部２２には、選択項目として「音量」と「キーワード」が選択窓Ｐ１，Ｐ２と共に表示され、選択窓Ｐ１，Ｐ２にチェックを入れることにより、録画開始の契機の種別として「音量」および「キーワード」の片方または両方を選択することが可能である。
【００２７】
図４に盛り上がり録画設定のシーケンスを示す。録画開始の契機の種別の設定部２２において、録画開始の契機の種別として「音量」のみを選択し（ステップＳ１０１）、決定ボタン２５を押すと（ステップＳ１０５）、録画開始の契機の種別として音量がメモリ１６に設定される。
【００２８】
録画開始の契機の種別の設定部２２において、録画開始の契機の種別として「キーワード」を含んで選択した場合（ステップＳ１０１）、ユーザは、キーワードとしてフリーワードを設定するか、おすすめキーワードを設定するかを決める（ステップＳ１０２）。なお、ここでは、説明上、録画開始の契機の種別として「キーワード」と「音量」の両方を選択したものとする。
【００２９】
ここで、キーワードとしてフリーワードを設定する場合には、フリーワードの設定部２３において選択窓Ｐ３にチェックを入れ、フリーワードの入力部Ｗ１に所望のキーワードをフリーワードとして入力する（ステップＳ１０３）。この場合、決定ボタン２５を押すと（ステップＳ１０５）、録画開始の契機の種別として音量とキーワードがメモリ１６に設定される。また、録画開始の契機とするキーワードとして、入力されたフリーワードがメモリ１６に設定される。
【００３０】
キーワードとしておすすめキーワードを設定する場合には、おすすめキーワードの設定部２４において選択窓Ｐ４にチェックを入れる。おすすめキーワードの設定部２４には番組の種別の選択部２６が表示される。この番組の種別の選択部２６には、選択可能な番組の種別として、「ドラマ」，「バラエティ」，「ニュース」，「スポーツ」，「音楽」などのジャンルが表示される。
【００３１】
ここで、例えば、番組の種別として「バラエティ」と「スポーツ」を選択する場合には、選択窓Ｐ６とＰ７にチェックを入れる（ステップＳ１０４）。番組の種別を選択した後、決定ボタン２５を押すと（ステップＳ１０５）、録画開始の契機の種別として音量とキーワードがメモリ１６に設定される。また、選択した番組の種別がメモリ１６に設定される。
【００３２】
なお、この実施例２において、番組の種別の選択部２６に表示される番組の種別に対しては、その番組の種別毎に予め定められたキーワードがおすすめキーワードとしてメモリ１６に保存されている（図５参照）。
【００３３】
〔テレビ放送の蓄積録画〕
制御部１３は、テレビチューナ１７が起動されると（図６：ステップＳ２０１のＹＥＳ）、このテレビチューナ１７によって選局されているテレビ放送をメモリ１６に蓄積録画する（ステップＳ２０２）。この場合、蓄積録画時間Ｔ１（Ｔ１＝１０分）を超える古い録画データを消去しながら、テレビチューナ１７によって選局されているテレビ放送をメモリ１６に連続的に蓄積録画して行く。
【００３４】
〔録画開始の契機の設定〕
制御部１７は、テレビチューナが起動されると（図７：ステップＳ３０１のＹＥＳ）、盛り上がり録画設定が行われているか否かをメモリ１６に確認する（ステップＳ３０２）。ここで、、盛り上がり録画設定が行われていれば（ステップＳ３０２のＹＥＳ）、おすすめキーワードの番組種別がメモリ１６に設定されているか否かを確認する（ステップＳ３０３）。
【００３５】
制御部１７は、おすすめキーワードの番組種別がメモリ１６に設定されていなかった場合（ステップＳ３０３のＮＯ）、フリーワードがメモリ１６に設定されているか否かを確認する（ステップＳ３０４）。ここで、フリーワードがメモリ１６に設定されていなければ（ステップＳ３０４のＮＯ）、メモリ１６に録画開始の契機の種別として「音量」が設定されているか否かを確認し（ステップＳ３０５）、録画開始の契機の種別として「音量」が設定されていれば（ステップＳ３０５のＹＥＳ）、音量（一定値を超える音量）を録画開始の契機としてをメモリ１６に設定する（ステップＳ３０６）。
【００３６】
制御部１７は、フリーワードがメモリ１６に設定されていた場合（ステップＳ３０４のＹＥＳ）、メモリ１６からフリーワードを読み出す（ステップＳ３０７）。そして、メモリ１６に録画開始の契機の種別として「音量」が設定されているか否かを確認し（ステップＳ３１１）、録画開始の契機の種別として「音量」が設定されていれば（ステップＳ３１１のＹＥＳ）、音量（一定値を超える音量）とフリーワードを録画開始の契機としてメモリ１６に設定する（ステップＳ３１２）。録画開始の契機の種別として「音量」が設定されていなければ（ステップＳ３１１のＮＯ）、フリーワードを録画開始の契機としてメモリ１６に設定する（ステップＳ３１３）。
【００３７】
制御部１７は、おすすめキーワードの番組種別がメモリ１６に設定されていた場合（ステップＳ３０３のＹＥＳ）、テレビチューナ１７から現在選局されているテレビ放送の番組のジャンルを読み出す（ステップＳ３０８）。そして、この読み出した番組のジャンルとメモリ１６に設定されているおすすめキーワードの番組種別とが一致しているか否かを確認し（ステップＳ３０９）、一致していれば（ステップＳ３０９のＹＥＳ）、その番組種別に対応して定められているおすすめキーワードをメモリ１６から読み出す（ステップＳ３１０）。
【００３８】
そして、メモリ１６に録画開始の契機の種別として「音量」が設定されているか否かを確認し（ステップＳ３１１）、録画開始の契機の種別として「音量」が設定されていれば（ステップＳ３１１のＹＥＳ）、音量（一定値を超える音量）とおすすめキーワードを録画開始の契機としてメモリ１６に設定する（ステップＳ３１２）。録画開始の契機の種別として「音量」が設定されていなければ（ステップＳ３１１のＮＯ）、おすすめキーワードを録画開始の契機としてメモリ１６に設定する（ステップＳ３１３）。
【００３９】
〔盛り上がり場面の自動録画〕
制御部１３は、テレビチューナ１７が起動している間、選局されているテレビ放送のメモリ１６への蓄積録画を行いつつ、メモリ１６に設定されている録画開始の契機を監視する。ここでは、録画開始の契機として、音量（一定値を超える音量）とキーワード（フリーワード又はおすすめキーワード）の両方が設定されているものとする。
【００４０】
〔音量の監視〕
制御部１３は、選局されているテレビ放送の音量を一定時間毎に測定し、そのテレビ放送での音量の平均値を算出する（図８：ステップＳ４０１）。そして、測定した音量と算出された音量の平均値とを比較し、測定した音量が一定値を超えていた場合（ステップＳ４０２のＹＥＳ）、そのテレビ放送に録画開始の契機を含む場面が現れたと判断し、その録画開始の契機を含む場面まで遡っての盛り上がり場面の録画を開始する（ステップＳ４０３）。
【００４１】
これにより、録画開始の契機を含む場面まで遡って所定時間Ｔ２（Ｔ２＝５分）の間、メモリ１６から蓄積録画中の録画データが追いかけて読み出され、この読み出された録画データが盛り上がり場面としてメモリ１６に保存されて行く。
【００４２】
また、制御部１３は、ステップＳ４０３での盛り上がり場面の録画の開始と同時に、その盛り上がり場面に対応する録画アイコンを表示部１４に表示する（ステップＳ４０４）。
【００４３】
〔キーワードの監視〕
制御部１３は、選局されているテレビ放送の音声認識を行い（図９：ステップＳ５０１）、そのテレビ放送の音声に録画開始の契機として設定されているキーワードが含まれていた場合（ステップＳ５０２のＹＥＳ）、そのテレビ放送に録画開始の契機を含む場面が現れたと判断し、その録画開始の契機を含む場面まで遡っての盛り上がり場面の録画を開始する（ステップＳ５０３）。
【００４４】
これにより、録画開始の契機を含む場面まで遡って所定時間Ｔ２（Ｔ２＝５分）の間、メモリ１６から蓄積録画中の録画データが追いかけて読み出され、この読み出された録画データが盛り上がり場面としてメモリ１６に保存されて行く。
【００４５】
また、制御部１３は、ステップＳ５０３での盛り上がり場面の録画の開始と同時に、その盛り上がり場面に対応する録画アイコンを表示部１４に表示する（ステップＳ５０４）。
【００４６】
〔盛り上がり場面の再生〕
ユーザは、表示部１４に録画アイコンが表示された場合、盛り上がり場面が録画されていることを知ることができる。ユーザは、盛り上がり場面を視聴したい場合、表示部１４に表示されている録画アイコンを選択指定する。
【００４７】
制御部１３は、録画アイコンが選択指定されると（図１０：ステップＳ６０１のＹＥＳ）、その録画アイコンに対応してメモリ１６に保存されている盛り上がり場面の録画データを読み出し、その盛り上がり場面の再生を開始する（ステップＳ６０２）。
【００４８】
この場合、盛り上がり場面は早送りで再生（例えば、倍速再生）し、盛り上がり場面の録画データが終了した後は（ステップＳ６０３）、通常の視聴状態に戻る（ステップＳ６０４）。これにより、盛り上がり画面の録画中、録画アイコンが選択指定された場合、盛り上がり場面を早送り再生し、追いついた時点で通常の視聴状態に自然に切り替えることができる。
【００４９】
従来、携帯電話端末のテレビ機能では、ユーザがテレビを起動したまま別のことをするなどして、テレビ番組から目を離していると、クイズ番組の回答部分やスポーツの得点シーンなど、ユーザの視聴したいような盛り上がりの部分が放送されていても気づくことができなかった。
【００５０】
これに対して、この携帯電話端末２００では、あらかじめユーザの視聴したいような盛り上がり部分に放送されるであろうキーワードや一定値を超える音量が出現した時点をテレビ番組の盛り上がり場面であると判定し、このキーワードや一定値を超える音量が検出された時点まで遡って自動で一定時間録画することで、ユーザが盛り上がり状態に気づき遅れたとしても、盛り上がりの開始部分より視聴し直すことができる。
【００５１】
なお、この携帯電話端末２００では、選局されているテレビ放送の音声認識を行い、そのテレビ放送の音声に録画開始の契機として設定されているキーワードが含まれているか否かを確認するようにしたが、選局されているテレビ放送の文字認識を行い、そのテレビ放送の文字に録画開始の契機として設定されているキーワードが含まれているか否かを確認するようにしてもよい。また、音声認識と文字認識の両方で、キーワードが含まれているか否かを確認するようにしてもよい。
【００５２】
また、この携帯電話端末２００では、録画開始の契機として設定するキーワードを「フリーワード」と「おすめキーワード」の何れか一方としたが、「フリーワード」と「おすすめキーワード」の両方を録画開始の契機として設定することができるようにしてもよい。
【図面の簡単な説明】
【００５３】
【図１】本発明に係る録画装置の一実施例（実施例１）の要部を示す図である。
【図２】本発明に係る録画装置を搭載した携帯電話端末の一実施例（実施例２）の概略を示す図である。
【図３】この携帯電話端末の表示部に表示される盛り上がり録画設定画面の一例を示す図である。
【図４】この携帯電話端末における盛り上がり録画設定のシーケンスを説明するためのフローチャートである。
【図５】この携帯電話端末における番組の種別毎に予め定められたおすすめキーワードがメモリへ保存されていることを示す図である。
【図６】この携帯電話端末におけるテレビ放送の蓄積録画を説明するためのフローチャートである。
【図７】この携帯電話端末における盛り上がり画面の録画開始の契機の設定を説明するためのフローチャートである。
【図８】この携帯電話端末における盛り上がり場面の自動録画（音量監視）を説明するためのフローチャートである。
【図９】この携帯電話端末における盛り上がり場面の自動録画（キーワード監視）を説明するためのフローチャートである。
【図１０】この携帯電話端末における盛り上がり画面の再生を説明するためのフローチャートである。
【符号の説明】
【００５４】
１…チューナ、２…蓄積録画処理部、３…盛上場面保存処理部、Ｍ１，Ｍ２…メモリ、１００…録画装置、１１…アンテナ、１２…無線部、１３…制御部、１４…表示部、１５…キー入力部、１６…メモリ、１７…テレビチューナ、１８…スピーカ、２１…盛り上がり録画設定画面、２２…録画開始の契機の種別の設定部、２３…フリーワードの設定部、２４…おすすめキーワードの設定部、２５…決定ボタン、２６…番組の種別の選択部、Ｐ１〜Ｐ９…選択窓、Ｗ１…フリーワードの入力部、２００…携帯電話端末。
【図１】
2010050692.tif 000003
【図２】
2010050692.tif 000004
【図３】
2010050692.tif 000005
【図４】
2010050692.tif 000006
【図５】
2010050692.tif 000007
【図６】
2010050692.tif 000008
【図７】
2010050692.tif 000009
【図８】
2010050692.tif 000010
【図９】
2010050692.tif 000011
【図１０】
2010050692.tif 000012